(57)【要約】【課題】ボルトの緩みを防止する。【解決手段】コネクタは、ボルト５０が装着される第１ハウジング１１と、ナット９０が装着される第２ハウジング６１とを備える。ナット９０にボルト５０を締め付けることにより、その締め付け方向に両ハウジング１１、６１の相互の前面部が接近して、両ハウジング１１、６１が正規嵌合される。第１ハウジング１１の前面部には、両ハウジング１１、６１が正規嵌合された状態で、第２ハウジング６１の前面部に弾性的に当接して、第２ハウジング６１の前面部に対し両ハウジング１１、６１を互いに離反させる向きのバネ力を付与するバネ部が設けられている。【選択図】図１
2011258484.tif 000002
【特許請求の範囲】
【請求項１】
ボルトが装着される第１ハウジングと、ナットが装着される第２ハウジングとを備え、前記ナットに前記ボルトを締め付けることにより、その締め付け方向に前記両ハウジングの相互の嵌合面部が接近し、前記ボルトと前記ナットとの間に前記第１ハウジングが挟持された状態で、前記両ハウジングが正規嵌合されるコネクタであって、
前記両ハウジングの嵌合面部のうち、少なくともいずれか一方の嵌合面部には、前記両ハウジングが正規嵌合された状態で、他方の嵌合面部に弾性的に当接して、前記他方の嵌合面部に対し前記両ハウジングを互いに離反させる向きのバネ力を付与するバネ部が設けられていることを特徴とするコネクタ。
【請求項２】
前記バネ部が、前記いずれか一方の嵌合面部に一体に設けられている請求項１記載のコネクタ。
【請求項３】
前記バネ部が、前記ボルト及び前記ナットの締め付け領域の周りに設けられている請求項１又は２記載のコネクタ。
【請求項４】
前記バネ部が、前記ボルト及びナットの締め付け領域の周りを全周に亘って取り囲むように設けられている請求項３記載のコネクタ。
【請求項５】
前記第１ハウジングの嵌合面部には、前記ボルトの軸部が突出して設けられ、かつ前記軸部の周りを包囲する筒部が設けられ、前記ナットが前記筒部内に挿入されるようになっており、
前記筒部が、前記バネ部として構成され、前記両ハウジングが正規嵌合された状態で、撓み変形しつつ前記ナットの端部に当接する請求項１ないし４のいずれか１項記載のコネクタ。
【請求項６】
前記筒部が、前記両ハウジングが正規嵌合された状態で、撓み変形しつつ前記ナットの端部の全周に当接する請求項５記載のコネクタ。
【発明の詳細な説明】
【技術分野】
【０００１】
本発明は、コネクタに関する。
【背景技術】
【０００２】
特許文献１には、いわゆるねじ締め型のコネクタが開示されている。このコネクタは、ボルトが装着される第１ハウジングと、ナットが装着される第２ハウジングとを備えている。第１ハウジングの前面には、ボルトの軸部が突出して配置され、第２ハウジングの前面には、ナットの端面が露出して配置されている。そして、ボルトがナットに締め付けられることにより、その締め付け方向に両ハウジングの前面が互いに接近して、両ハウジングが正規嵌合されるようになっている。この場合、ボルトの頭部とナットとの間に、第１ハウジングが挟み付けられ、その締め付け力によって両ハウジングの嵌合状態が保たれるようになっている。
【０００３】
上記の場合に、熱的ストレスが加わると、樹脂と金属との間で熱膨張係数が異なる等の理由により、ボルトが緩むおそれがある。
【先行技術文献】
【特許文献】
【０００４】
【特許文献１】実開平６−７２１７７号公報
【発明の概要】
【発明が解決しようとする課題】
【０００５】
本発明は上記のような事情に基づいて完成されたものであって、ボルトの緩みを防止することを目的とする。
【課題を解決するための手段】
【０００６】
上記の目的を達成するための手段として、請求項１の発明は、ボルトが装着される第１ハウジングと、ナットが装着される第２ハウジングとを備え、前記ナットに前記ボルトを締め付けることにより、その締め付け方向に前記両ハウジングの相互の嵌合面部が接近し、前記ボルトと前記ナットとの間に前記第１ハウジングが挟持された状態で、前記両ハウジングが正規嵌合されるコネクタであって、前記両ハウジングの嵌合面部のうち、少なくともいずれか一方の嵌合面部には、前記両ハウジングが正規嵌合された状態で、他方の嵌合面部に弾性的に当接して、前記他方の嵌合面部に対し前記両ハウジングを互いに離反させる向きのバネ力を付与するバネ部が設けられているところに特徴を有する。
【０００７】
請求項２の発明は、請求項１に記載のものにおいて、前記バネ部が、前記いずれか一方の嵌合面部に一体に設けられているところに特徴を有する。
【０００８】
請求項３の発明は、請求項１又は２に記載のものにおいて、前記バネ部が、前記ボルト及び前記ナットの締め付け領域の周りに設けられているところに特徴を有する。
【０００９】
請求項４の発明は、請求項１ないし３のいずれか１項に記載のものにおいて、前記バネ部が、前記ボルト及びナットの締め付け領域の周りを全周に亘って取り囲むように設けられているところに特徴を有する。
【００１０】
請求項５の発明は、請求項１ないし４のいずれか１項に記載のものにおいて、前記第１ハウジングの嵌合面部には、前記ボルトの軸部が突出して設けられ、かつ前記軸部の周りを包囲する筒部が設けられ、前記ナットが前記筒部内に挿入されるようになっており、前記筒部が、前記バネ部として構成され、前記両ハウジングが正規嵌合された状態で、撓み変形しつつ前記ナットの端部に当接するところに特徴を有する。
【００１１】
請求項６の発明は、請求項１ないし５のいずれか１項に記載のものにおいて、前記筒部が、前記両ハウジングが正規嵌合された状態で、撓み変形しつつ前記ナットの端部の全周に当接するところに特徴を有する。
【発明の効果】
【００１２】
＜請求項１の発明＞
両ハウジングの嵌合面部のうち、少なくともいずれか一方の嵌合面部に、両ハウジングが正規嵌合された状態で、他方の嵌合面部に弾性的に当接して、他方の嵌合面部に対し両ハウジングを互いに離反させる向きのバネ力を付与するバネ部が設けられているため、ボルトとナットとの間に第１ハウジングが挟持される状態が保たれ、ボルトの緩みが防止される。
【００１３】
＜請求項２の発明＞
バネ部がいずれか一方の嵌合面部に一体に設けられているから、部品点数の増加をまねくことがなく、部品管理の煩わしさ等から解消される。
【００１４】
＜請求項３の発明＞
バネ部がボルト及びナットの締め付け領域の周りに設けられているため、両ハウジングの嵌合面部がバネ部のバネ力を受けて正規から傾いた状態になるのが回避される。
【００１５】
＜請求項４の発明＞
バネ部がボルト及びナットの締め付け領域の周りを全周に亘って取り囲むように設けられているため、両ハウジングの嵌合面部がバネ部のバネ力を受けて正規から傾いた状態になるのがいっそう確実に回避される。
【００１６】
＜請求項５の発明＞
筒部が、バネ部として構成され、両ハウジングが正規嵌合された状態で、撓み変形しつつナットの端部に当接するため、ボルト及びナットの締め付け領域の近傍で、ボルトの緩みが確実に防止される。
【００１７】
＜請求項６の発明＞
筒部が、両ハウジングが正規嵌合された状態で、撓み変形しつつナットの端部の全周に当接するため、ボルトの緩みがいっそう確実に防止される。
【図面の簡単な説明】
【００１８】
【図１】本発明の実施形態１に係るコネクタが正規嵌合された状態の断面図である。
【図２】第１コネクタの断面図である。
【図３】第２コネクタの断面図である。
【図４】第１コネクタの背面図である。
【図５】第２コネクタの正面図である。
【発明を実施するための形態】
【００１９】
＜実施形態１＞
本発明の実施形態１を図１ないし図５によって説明する。実施形態１に係るコネクタは、互いに嵌合可能な第１コネクタ１０及び第２コネクタ６０からなる。第１コネクタ１０は、第１ハウジング１１、第１端子金具４０、及びボルト５０を備え、第２コネクタ６０は、第２ハウジング６１、第２端子金具８０、及びナット９０を備える。ボルト５０をナット９０に締め付けることにより、ボルト５０の頭部とナット９０との間に第１ハウジング１１が挟持され、その状態で、両ハウジング１１、６１が正規嵌合されるようになっている。なお、以下の説明において前後方向については、両ハウジング１１、６１の相互の嵌合側を前方とする。
【００２０】
第２ハウジング６１は合成樹脂製であって、図３及び図５に示すように、４隅に丸みの付いた正面視略方形の第２ハウジング本体６２と、第２ハウジング本体６２の周縁から前方に突出するフード部６３とを有している。
【００２１】
第２ハウジング本体６２には、複数の第２サブハウジング収容部６４が前方に開口して形成されている。各第２サブハウジング収容部６４には、前方からブロック状の第２サブハウジング６５が挿入されて保持されている。各第２サブハウジング収容部６４に各第２サブハウジング６５が挿入された状態で、各第２サブハウジング６５及び各第２サブハウジング収容部６４には、双方を前後方向に連通する第２キャビティ６６が形成され、各第２キャビティ６６に後方から第２端子金具８０が挿入されて保持されている。
【００２２】
第２端子金具８０は、前方にタブ８１を突成させた雄端子金具とされ、電線２００の端末部に接続されている。電線２００にはゴム栓６７が嵌着され、ゴム栓６７は第２サブハウジング収容部６４側の第２キャビティ６６内に液密に収容される。
【００２３】
タブ８１は、フード部６３内に突出して配置されている。また、フード部６３内にはムービングプレート６８が取り付けられている。ムービングプレート６８は、タブ８１の先端部が位置決め状態で挿入される複数の位置決め孔６９を有し、フード部６３の開口側に位置する待機位置と、フード部６３の奥面側（第２ハウジング本体６２の前面側）に位置する後退位置とに移動可能とされている。両コネクタ１０、６０の嵌合前の状態では、ムービングプレート６８が待機位置にあってタブ８１の位置決め孔６９から前方への突出量が小さく抑えられ、両コネクタ１０、６０の嵌合過程では、ムービングプレート６８が第１ハウジング１１に押動されて後退位置側に移動させられ、両コネクタ１０、６０が正規嵌合された状態では、ムービングプレート６８が後退位置にあってタブ８１の位置決め孔６９から前方への突出量が大きくなる（図３を参照）。また、ムービングプレート６８の中央部には、後述するナット装着部７１と対応する位置に、略方形の窓部７０が開口して形成されている。
【００２４】
第２ハウジング本体６２の中央部には、ナット９０が挿入されて装着されるナット装着部７１が貫通して形成されている。上記の第２サブハウジング収容部６４は、ナット装着部７１の周りを取り囲むように周方向に間隔をあけて配置されている。ナット装着部７１の内周面には、第１段部７２と、第１段部７２よりも前方に位置する第２段部７３とが形成されている。ナット装着部７１の内径は、第１段部７２及び第２段部７３を介することにより、前方側へ向けて段々大きくされている。
【００２５】
ナット９０は略円柱状をなし、その前面に、ねじ孔９１が開口して形成されている。ナット９０の外周面には段差９２が形成されている。ナット９０がナット装着部７１内に挿入されると、段差９２が第１段部７２に当接し、もってナット９０がナット装着部７１に位置決めされる。また、ナット装着部７１にナット９０を装着した状態で、第２ハウジング６１の後面に臨むナット９０の後端部に、止め具７４が嵌着され、これによってナット９０がナット装着部７１に固定される。さらに、ナット９０の外周面とナット装着部７１の内周面との間に、ポッティング材等の封止材７５が充填される。このとき、第２段部７３の位置を目安として、封止材７５の導入位置が規定される。
【００２６】
第１ハウジング１１は合成樹脂製であって、図２及び図４に示すように、４隅に丸みの付いた正面視略方形の第１ハウジング本体１２と、第１ハウジング本体１２の周りを包囲する筒状の嵌合筒部１３と、嵌合筒部１３及び第１ハウジング本体１２の後端同士を連結する連結部１４とを有している。嵌合筒部１３と第１ハウジング本体１２との間は、前方から相手のフード部６３が嵌入される嵌合空間１５とされている。
【００２７】
第１ハウジング本体１２の外周面には環状のシール部材１６が嵌着される。シール部材１６は、嵌合空間１５内で連結部１４に当接可能に配置され、両ハウジング１１、６１の嵌合時に、フード部６３の内周面と第１ハウジング本体１２の外周面とに液密に密着される。
【００２８】
第１ハウジング本体１２には、第１サブハウジング収容部１７が前方に開口して形成されている。各第１サブハウジング収容部１７には、前方からブロック状の第１サブハウジング１８が挿入されて保持されている。各第１サブハウジング収容部１７に各第１サブハウジング１８が挿入された状態で、各第１サブハウジング１８及び各第１サブハウジング収容部１７には、双方を前後方向に連通する第１キャビティ１９が形成され、各第１キャビティ１９に後方から第１端子金具４０が挿入されて保持されている。各第１キャビティ１９は、両ハウジング１１、６１の嵌合時に、相手側の各第２キャビティ６６と対向して配置される。
【００２９】
第１端子金具４０は、タブ８１が挿入されて接続される箱部４１を有する雌端子金具とされ、電線１００の端末部に接続されている。電線１００にはゴム栓２０が嵌着され、ゴム栓２０は第１サブハウジング収容部１７側の第１キャビティ１９内に液密に収容可能とされている。
【００３０】
また、第１ハウジング本体１２の中央部には、ボルト５０が挿入されて装着されるボルト装着部２１が一体に形成されている。ボルト装着部２１は、前後方向に延びる円筒状をなし、第１ハウジング本体１２の後面の中央部から後方へ大きく突出する部分を有している。ボルト装着部２１の内部には、ボルト５０の軸部５１が挿入されるボルト挿入孔２２が貫通して形成されている。そして、ボルト装着部２１の内周面には、第３段部２３が形成されている。ボルト装着部２１の内径は、第３段部２３を境とする前方側のほうが後方側よりも大きくされている。ボルト５０がボルト装着部２１のボルト挿入孔２２内に挿入され、ボルト５０の頭部５２がボルト装着部２１の後端に当接可能に配置され、かつ軸部５１に嵌着された止め輪５５が第３段部２３に当接可能に配置されることにより、ボルト５０がボルト装着部２１に位置決め状態で回転可能に装着される。このとき、ボルト５０の軸部５１の先端側は、第１ハウジング本体１２の前面の中央部から前方へ突出して配置される。
【００３１】
また、第１ハウジング本体１２の後面側には、キャップ状のカバー３０が取り付けられる。カバー３０内には、各電線１００及びボルト装着部２１が収容され、カバー３０の後面には、その貫通孔３１を貫通したボルト５０の頭部５２が露出して配置されている。
【００３２】
さて、ボルト装着部２１の前端部（先端部）には、第３段部２３よりも前方に、第４段部２４が形成されている。ボルト装着部２１の内径は、第４段部２４を境とする前方側のほうが後方側よりも大きくされている。そして、ボルト装着部２１のうち、第４段部２４を境とする前方側の領域は、その後方側の領域よりも薄肉となる筒部２５とされている。また、ボルト装着部２１の内周面には、筒部２５よりも後方に、第４段部２４へ向けてテーパ状に拡開する小斜面２６が形成されている。
【００３３】
筒部２５の径方向中央には、ボルト５０の軸部５１が貫通して配置されている。筒部２５の内周面には、前端（先端）へ向けて次第に拡開するテーパ状の斜面２７が形成されている。このため、筒部２５は、前端側へ行くにつれ次第に薄肉となる形態となる。かかる筒部２５は、第４段部２４に連なる後端側を略支点として径方向に撓み変形可能なバネ部として構成される。
【００３４】
筒部２５内には、両ハウジング１１、６１の嵌合時にナット９０が挿入される。この場合、筒部２５の内径はナット９０の外径よりも小さくされている。筒部２５内にナット９０が挿入されると、筒部２５の斜面２７にナット９０の端部周縁が弾性的に当接して、筒部２５の撓み動作が誘導されるようになっている。
【００３５】
なお、第１ハウジング本体１２の前面側（筒部２５を含む）及び第２ハウジング本体６２の前面側（ナット９０の端部を含む）は、本発明の嵌合面部を構成するものである。
【００３６】
次に、実施形態１に係るコネクタの嵌合動作について説明する。
第１コネクタ１０と第２コネクタ６０とを互いに正対させた状態で、ナット９０のねじ孔９１に、ボルト５０の軸部５１をねじ込む。ボルト５０の締め付け過程では、第１ハウジング本体１２及び第２ハウジング本体６２の両前面が少しずつ隙間を詰めるようにして互いに接近する。そして、ボルト５０の締め付けが完了する直前に、ナット９０の端部が筒部２５内に挿入される。筒部２５内へのナット９０の挿入過程では、ナット９０の端部周縁の全周が斜面２７を摺動して筒部２５が径方向外方へ撓み変形される。図１に示すように、両ハウジング１１、６１が正規嵌合されると、ナット９０の端部周縁の全周が筒部２５に当接するとともに、筒部２５が撓み変形する状態が保たれつつ、ナット９０の端面が第４段部２４と当接可能に配置される。このため、両ハウジング１１、６１が正規嵌合された状態で、ナット９０には、筒部２５から両ハウジング１１、６１を互いに引き離す向きのバネ力が付与されることとなる。また、両ハウジング１１、６１が正規嵌合されると、第２端子金具８０のタブ８１が第１端子金具４０の箱部４１内に正規深さで挿入され、両端子金具４０、８０が互いに導通接続される。
【００３７】
以上説明したように、本実施形態によれば、第１ハウジング本体１２に、両ハウジング１１、６１が正規嵌合された状態で、筒部２５が、第２ハウジング本体６２に装着されたナット９０に弾性的に当接して、ナット９０に対し両ハウジング１１、６１を互いに離反させる向きのバネ力を付与するため、ボルト５０の頭部５２とナット９０との間に第１ハウジング１１が挟持される状態が適正に保たれ、ボルト５０の緩みが防止される。
【００３８】
また、筒部２５が第２ハウジング６１に一体に設けられているから、部品点数の増加をまねくことがなく、部品管理の煩わしさ等から解消される。
【００３９】
また、筒部２５がボルト５０及びナット９０の締め付け領域（ボルト５０の軸部５１周り）に設けられているため、第１ハウジング本体１２及び第２ハウジング本体６２の前面同士が筒部２５のバネ力を受けて正規から傾いた状態になるのが回避される。
【００４０】
また、筒部２５がボルト５０及びナット９０の締め付け領域を全周に亘って取り囲むように設けられているため、第１ハウジング本体１２及び第２ハウジング本体６２の前面同士が筒部２５のバネ力を受けて正規から傾いた状態になるのがいっそう確実に回避される。
【００４１】
さらに、筒部２５が、バネ部として構成され、両ハウジング１１、６１が正規嵌合された状態で、撓み変形しつつナット９０の端部周縁に当接するため、ボルト５０及びナット９０の締め付け領域の近傍で、ボルト５０の緩みが確実に防止される。しかも、筒部２５が、ナット９０の端部周縁の全周に当接するため、ボルト５０の緩みがいっそう確実に防止される。
【００４２】
＜他の実施形態＞
本発明は上記記述及び図面によって説明した実施形態に限定されるものではなく、例えば次のような実施形態も本発明の技術的範囲に含まれる。
（１）筒部（バネ部）が第２ハウジングの前面側におけるナット以外の部位に弾性的に当接する構成であってもよい。
（２）バネ部としての筒部が省略され、代わりのバネ部が両ハウジングの前面部間に別体として設けられていてもよい。
（３）バネ部としての筒部が省略され、代わりのバネ部が第２ハウジングの前面側に設けられていてもよい。
（４）両ハウジングの前面側のいずれにもバネ部が設けられるものであってもよい。この場合、第１ハウジング側のバネ部が筒部以外で構成されてもよい。
【符号の説明】
【００４３】
１０…第１コネクタ
１１…第１ハウジング
２１…ボルト装着部
２５…筒部（バネ部）
５０…ボルト
５１…軸部
６０…第２コネクタ
６１…第２ハウジング
７１…ナット装着部
９０…ナット
【図１】
2011258484.tif 000003
【図２】
2011258484.tif 000004
【図３】
2011258484.tif 000005
【図４】
2011258484.tif 000006
【図５】
2011258484.tif 000007